(57)【特許請求の範囲】
【請求項１】
媒体情報を記憶可能な記憶手段を有し、記録媒体に記録されている楽曲データを再生可能な再生装置であって、
再生対象の記録媒体が書き込み可能な媒体であるか否かを判別する判別手段と、
記録媒体及び楽曲データに関する媒体情報を入力する媒体情報入力手段と、
記録媒体を特定するための特定情報を取得する特定情報取得手段と、
前記媒体情報入力手段が入力した媒体情報と前記特定情報取得手段が取得した特定情報とを関連付けて前記記憶手段に記憶させる制御手段と、を備え、
前記制御手段は、前記判別手段により書き込み可能な媒体であることが判別されると、媒体情報及び特定情報を前記記憶手段における所定の共有領域に格納する、
ことを特徴とする再生装置。
【請求項２】
前記記憶手段には、書き込み可能な記録媒体の媒体情報及び特定情報を専用に格納するための専用領域が設けられており、
前記制御手段は、前記判別手段により書き込み可能な媒体であることが判別されると、前記専用領域に媒体情報及び特定情報を格納する、
ことを特徴とする請求項１に記載の再生装置。
【請求項３】
ディスク情報を記憶可能な記憶手段を有し、ディスクに記録されている楽曲データを再生可能な再生装置であって、
再生対象のディスクが書き込み可能なディスクであるか否かを判別する判別手段と、
ディスクタイトル及びトラックタイトルを含んだディスク情報を入力するディスク情報入力手段と、
ディスクを特定するためのＴＯＣ（Table Of Contents）情報を取得するＴＯＣ情報取得手段と、
前記ディスク情報入力手段が入力したディスク情報と前記ＴＯＣ情報取得手段が取得したＴＯＣ情報とを関連付けて前記記憶手段に記憶させる制御手段と、を備え、
前記制御手段は、前前記判別手段により書き込み可能なディスクであることが判別されると、ディスク情報及びＴＯＣ情報を前記記憶手段における所定の共有領域に格納する、
ことを特徴とする再生装置。
【請求項４】
前記記憶手段には、書き込み可能なディスクのディスク情報及びＴＯＣ情報を専用に格納するための専用領域が設けられており、
前記制御手段は、前記判別手段により書き込み可能な媒体であることが判別されると、前記専用領域にディスク情報及びＴＯＣ情報を格納する、
ことを特徴とする請求項３に記載の再生装置。
【請求項５】
前記ＴＯＣ情報取得手段は、前記判別手段が書き込み可能なディスクであることを判別すると、ディスクから読み出したＴＯＣ情報の代わりに、予め定められた固定のＴＯＣ情報を取得し、
前記制御手段は、同一のＴＯＣ情報が前記記憶手段に記憶されている場合に、新たに入力されたディスク情報を上書きして記憶する、
ことを特徴とする請求項３又は４に記載の再生装置。
【請求項６】
ディスク情報を記憶可能な記憶部を有する再生装置におけるディスク情報管理方法であって、
楽曲データの記録されている再生対象のディスクが書き込み可能なディスクであるか否かを判別する判別ステップと、
ディスクタイトル及びトラックタイトルを含んだディスク情報を入力するディスク情報入力ステップと、
ディスクを特定するためのＴＯＣ情報を取得するＴＯＣ情報取得ステップと、
前記ディスク情報入力ステップにて入力されたディスク情報と前記ＴＯＣ情報取得ステップにて取得されたＴＯＣ情報とを関連付けて記憶部に記録させる制御ステップと、を備え、
前記制御ステップは、前記判別ステップにて書き込み可能なディスクであることが判別されると、ディスク情報及びＴＯＣ情報を記憶部における所定の共有領域に格納する、
ことを特徴とするディスク情報管理方法。
【発明の詳細な説明】
【０００１】
【発明の属する技術分野】
本発明は、再生対象となるＣＤ等のディスク情報を無駄なく管理することのできる再生装置およびディスク情報管理方法に関する。
【０００２】
【従来の技術】
音楽用ＣＤ（コンパクトディスク）等の普及に伴い、ＣＤプレーヤに代表されるディスク再生装置が最もポピュラーな音楽再生機器の１つとして広まっている。このディスク再生装置は、ディスクに記録された複数の楽曲を、各楽曲に対応して定められたトラック番号によって管理する。そして、このトラック番号を使用して多彩な再生をすることができる。
例えば、ディスク再生装置は、プログラム再生機能により、利用者により選択されたトラック番号に対応する楽曲を選ばれた順番に再生できる。また、ランダム再生機能により、乱数等により選ばれたトラック番号の楽曲を順次再生できる。
【０００３】
近年では、パーソナルコンピュータ等にて、再生対象となるディスクのディスクタイトルやトラックタイトル等からなるディスク情報を登録することのできるＤＮＰＳ（Ｄｉｓｃ  Ｎａｍｅ  ＰｒｅＳｅｔ）機能を実現することもできる。このようなＤＮＰＳ機能は、所定の操作部等を介して、利用者が入力したディスクタイトルやトラックタイトル等（ディスク情報）を登録できる。そして、登録後に同一のディスクが装填されると、ディスクに記録されたＴＯＣ情報から登録済みのディスク情報を特定し、ディスクを再生する際等にディスク情報を表示することができる。すなわち、ディスク情報を１度登録すると、再度登録することなく、ディスクタイトルやトラックタイトル等を表示することができる。
【０００４】
一方、最近では、ＣＤ−Ｒ（Ｃｏｍｐａｃｔ  Ｄｉｓｃ  Ｒｅｃｏｒｄａｂｌｅ）やＣＤ−ＲＷ（Ｃｏｍｐａｃｔ  Ｄｉｓｃ  Ｒｅｗｒｉｔａｂｌｅ）等の記録媒体に任意のデータを書き込むことのできるＣＤ−Ｒ（又は、ＣＤ−ＲＷ）ドライブ装置が広く使用されるようになっている。このようなＣＤ−Ｒドライブ装置は、所定のパーソナルコンピュータ等と所定のインタフェースにて接続されて使用される。
例えば、ＣＤ−Ｒドライブ装置は、パーソナルコンピュータに制御され、音楽ＣＤと同等の楽曲データを記録することができる。
【０００５】
【発明が解決しようとする課題】
ディスク再生装置の中には、ＣＤ−Ｒ等に記録された音楽ＣＤと同等の楽曲データを再生することのできる装置も市販されつつある。そのため、上述のＤＮＰＳ機能を備えたディスク再生装置は、音楽ＣＤだけでなくＣＤ−Ｒ等に関するディスク情報も登録することとなる。
【０００６】
しかしながら、この場合、登録されたディスク情報の中で、使用されない無駄なディスク情報が生ずるおそれがある。
具体的に説明すると、ディスク再生装置に記憶されるディスク情報は、一般に、ディスクを特定するためのＴＯＣ情報と関連付けられて記憶される。ここで、ＣＤ−Ｒは、楽曲データの追加の書き込みが可能であり、また、ＣＤ−ＲＷは、楽曲データが書き換え可能である。そして、楽曲データが書き換えられると、ＴＯＣ情報も変更される。
【０００７】
そのため、ＣＤ−Ｒ等のディスクのディスク情報を登録後に、楽曲データを書き換えた場合、ＴＯＣ情報が変化することから、ディスク再生装置に記憶されているディスク情報を使用することができなくなる。すなわち、ディスク再生装置は、書き換え前後のディスクを同一のディスクであると判別できないため、登録されたディスク情報を使用できない。
【０００８】
このような書き換え前のディスクのディスク情報は、使用されることのない無駄な情報であるにもかかわらず、ディスク再生装置内の記憶部に残り続けることとなる。このため、使用されない無駄なディスク情報が生じてしまい、登録可能なディスク情報の件数が減ってしまうこととなる。
【０００９】
本発明は、上記実状に鑑みてなされたもので、再生対象となるＣＤ等のディスク情報を無駄なく管理することのできる再生装置およびディスク情報管理方法を提供することを目的とする。
【００１０】
【課題を解決するための手段】
上記目的を達成するため、本発明の第１の観点に係る再生装置は、
媒体情報を記憶可能な記憶手段を有し、記録媒体に記録されている楽曲データを再生可能な再生装置であって、
再生対象の記録媒体が書き込み可能な媒体であるか否かを判別する判別手段と、
記録媒体及び楽曲データに関する媒体情報を入力する媒体情報入力手段と、
記録媒体を特定するための特定情報を取得する特定情報取得手段と、
前記媒体情報入力手段が入力した媒体情報と前記特定情報取得手段が取得した特定情報とを関連付けて前記記憶手段に記憶させる制御手段と、を備え、
前記制御手段は、前記判別手段により書き込み可能な媒体であることが判別されると、媒体情報及び特定情報を前記記憶手段における所定の共有領域に格納する、
ことを特徴とする。
【００１１】
前記記憶手段には、書き込み可能な記録媒体の媒体情報及び特定情報を専用に格納するための専用領域が設けられており、
前記制御手段は、前記判別手段により書き込み可能な媒体であることが判別されると、前記専用領域に媒体情報及び特定情報を格納してもよい。
【００１２】
上記目的を達成するため、本発明の第２の観点に係る再生装置は、
ディスク情報を記憶可能な記憶手段を有し、ディスクに記録されている楽曲データを再生可能な再生装置であって、
再生対象のディスクが書き込み可能なディスクであるか否かを判別する判別手段と、
ディスクタイトル及びトラックタイトルを含んだディスク情報を入力するディスク情報入力手段と、
ディスクを特定するためのＴＯＣ情報を取得するＴＯＣ情報取得手段と、
前記ディスク情報入力手段が入力したディスク情報と前記ＴＯＣ情報取得手段が取得したＴＯＣ情報とを関連付けて前記記憶手段に記憶させる制御手段と、を備え、
前記制御手段は、前前記判別手段により書き込み可能なディスクであることが判別されると、ディスク情報及びＴＯＣ情報を前記記憶手段における所定の共有領域に格納する、
ことを特徴とする。
【００１３】
前記記憶手段には、書き込み可能なディスクのディスク情報及びＴＯＣ情報を専用に格納するための専用領域が設けられており、
前記制御手段は、前記判別手段により書き込み可能な媒体であることが判別されると、前記専用領域にディスク情報及びＴＯＣ情報を格納してもよい。
【００１４】
前記ＴＯＣ情報取得手段は、前記判別手段が書き込み可能なディスクであることを判別すると、ディスクから読み出したＴＯＣ情報の代わりに、予め定められた固定のＴＯＣ情報を取得し、
前記制御手段は、同一のＴＯＣ情報が前記記憶手段に記憶されている場合に、新たに入力されたディスク情報を上書きして記憶してもよい。
【００１５】
上記目的を達成するため、本発明の第３の観点に係るディスク情報管理方法は、
ディスク情報を記憶可能な記憶部を有する再生装置におけるディスク情報管理方法であって、
楽曲データの記録されている再生対象のディスクが書き込み可能なディスクであるか否かを判別する判別ステップと、
ディスクタイトル及びトラックタイトルを含んだディスク情報を入力するディスク情報入力ステップと、
ディスクを特定するためのＴＯＣ情報を取得するＴＯＣ情報取得ステップと、
前記ディスク情報入力ステップにて入力されたディスク情報と前記ＴＯＣ情報取得ステップにて取得されたＴＯＣ情報とを関連付けて記憶部に記録させる制御ステップと、を備え、
前記制御ステップは、前記判別ステップにて書き込み可能なディスクであることが判別されると、ディスク情報及びＴＯＣ情報を記憶部における所定の共有領域に格納する、
ことを特徴とする。
【００１７】
【発明の実施の形態】
本発明の実施の形態にかかるディスク再生装置について、以下図面を参照して説明する。
【００１８】
図１は、この発明の実施の形態に適用されるディスク再生装置の一例を示すブロック図である。このディスク再生装置は、ディスク５に格納された楽曲データを再生可能な機器であり、マイクロコンピュータ１と、キー入力部２と、ディスク位置検出部３と、光学ユニット４とから構成される。
【００１９】
なお、ディスク再生装置において再生対象となるディスク５は、通常の音楽ＣＤ（ＣＤ−ＤＡ；Ｃｏｍｐａｃｔ  Ｄｉｓｃ  Ｄｉｇｉｔａｌ  Ａｕｄｉｏ）、ＣＤ−Ｒ（Ｃｏｍｐａｃｔ  Ｄｉｓｃ  Ｒｅｃｏｒｄａｂｌｅ）及びＣＤ−ＲＷ（Ｃｏｍｐａｃｔ  Ｄｉｓｃ  Ｒｅｗｒｉｔａｂｌｅ）等である。そして、ＣＤ−ＲやＣＤ−ＲＷ等には、所定のオーディオフォーマットにて楽曲データが記録されている。すなわち、ＣＤ−Ｒ等のディスク５には、音楽ＣＤと同等な楽曲データが記録されている。
【００２０】
マイクロコンピュータ１は、入力ポート１ａと、ＲＡＭ１ｂと、ＲＯＭ１ｃと、ＣＰＵ１ｄと、出力ポート１ｅとを含んで構成され、ディスク再生装置全体を制御する。
【００２１】
入力ポート１ａは、キー入力部２から入力信号を取得し、また、ディスク位置検出部３から位置信号を取得して、取得した信号をＣＰＵ１ｄ等に供給する。
また、入力ポート１ａは、光学ユニット４からディスク情報信号を取得し、取得したディスク情報信号をＲＡＭ１ｂに格納する。
【００２２】
ＲＡＭ（Ｒａｎｄｏｍ  Ａｃｃｅｓｓ  Ｍｅｍｏｒｙ）１ｂは、図２（ａ）に示すようなディスク情報テーブル１１及び、図２（ｂ）に示すような種別テーブル１２を記憶する。
図２（ａ）に示すディスク情報テーブル１１は、キー入力部２から入力されたディスク情報を管理するための複数のテーブルである。具体的にディスク情報テーブル１１には、ＴＯＣ情報、ディスクタイトル及びトラックタイトルが記憶される。
【００２３】
ＴＯＣ（Ｔａｂｌｅ  Ｏｆ  Ｃｏｎｔｅｎｔｓ）情報は、トータルトラック数及びトータル時間（分：秒：ブロック）等からなる情報であり、ディスク５を特定するために使用される。
ディスクタイトルは、ディスク５自身を識別するための名称であり、利用者により入力される。また、トラックタイトルは、ディスク５内に記録された各楽曲データを識別するための名称であり、利用者により入力される。
なお、ディスク５がＣＤテキスト規格のディスクである場合、予めディスク５に記録されたディスクタイトル及びトラックタイトルを読み出して記憶してもよい。
【００２４】
また、図２（ｂ）に示す種別テーブル１２は、ディスク５のディスク種別及び、ディスク５に記録されている楽曲データのデータ種別を管理するためのテーブルである。
具体的に、ディスク種別は、書き込み不能なディスクであることを示す「音楽ＣＤ」又は、書き込み可能なディスクであることを示す「ＣＤ−Ｒ」を記憶する。また、データ種別は、記録された楽曲データがＣＤ−ＤＡであることを示す「ＣＤ−ＤＡ」又は、それ以外であることを示す「ＣＤ−ＲＯＭ」を記録する。
【００２５】
図１に戻って、ＲＯＭ（Ｒｅａｄ  Ｏｎｌｙ  Ｍｅｍｏｒｙ）１ｃは、ＣＰＵ１ｄが実行するための後述する初期処理及びディスク情報登録処理のプログラム等を予め記憶する。
【００２６】
ＣＰＵ（Ｃｅｎｔｒａｌ  Ｐｒｏｃｅｓｓｉｎｇ  Ｕｎｉｔ）１ｄは、ＲＯＭ１ｃに記憶されたプログラムに従って、後述する初期処理及びディスク情報登録処理を実行する。
すなわち、ＣＰＵ１ｄは、ディスク５のディスク種別等を取得する初期処理及び、ディスク５に関するディスク情報の登録を行うディスク情報登録処理を実行する。
【００２７】
出力ポート１ｅは、光学ユニット４を制御するための光学系制御信号を光学ユニット４に供給する。
【００２８】
キー入力部２は、所定のボタンスイッチやロータリスイッチ等からなり、利用者の操作に従った所定の情報を入力する。例えば、キー入力部２は、利用者の操作に従って、ディスクタイトル及びトラックタイトル等を入力する。
【００２９】
ディスク位置検出部３は、装填されたディスク５が再生可能な位置に移動した際に、位置信号を生成し、生成した位置信号を入力ポート１ａを介してＣＰＵ１ｄに供給する。
【００３０】
光学ユニット４は、スピンドルサーボ回路、光ピックアップ、及び、トラッキングスレッドサーボ回路等を含んで構成される。光学ユニット４は、マイクロコンピュータ１に制御され、ディスク５に記録された楽曲データ等を読み出す。
具体的に光学ユニット４は、マイクロコンピュータ１から供給される光学系制御信号に従って、ディスク５に記録された楽曲データ等をディスク情報信号として取得する。
また、光学ユニット４は、ディスク５が音楽ＣＤ等の書き込み不能なディスクであるか、又は、ＣＤ−Ｒ等の書き込み可能なディスクであるかを示すディスク判別信号を取得する。
【００３１】
以下、この発明の実施の形態にかかるディスク再生装置の動作について、図３及び図４を参照して説明する。
図３は、ディスク５のディスク種別等を取得する初期処理を説明するためのフローチャートである。また、図４は、ディスク５に関するディスク情報を入力し、入力したディスク情報等をディスク情報テーブル１１に登録（記憶）するディスク情報登録処理を説明するためのフローチャートである。
まず、図３に示す初期処理について説明する。図３に示す初期処理は、電源投入後に、新たなディスク５が装填されたことを示す位置信号がディスク位置検出部３からＣＰＵ１ｄに供給された後に、開始される。
【００３２】
まず、ＣＰＵ１ｄは、ＲＡＭ１ｂに記憶している種別テーブル１２をクリアする（ステップＳ１１）。すなわち、ＣＰＵ１ｄは、再生対象となるディスク５のディスク種別及びデータ種別を記憶する種別テーブル１２をクリアする。
【００３３】
ＣＰＵ１ｄは、ディスク種別を検出する（ステップＳ１２）。すなわち、ＣＰＵ１ｄは、光学ユニット４を介して取得したディスク判別信号に従って、ディスク種別を検出する。具体的にＣＰＵ１ｄは、ディスク判別信号に従って、ディスク５が市販の音楽ＣＤからなる書き込み不能なディスクであるか、又は、ＣＤ−Ｒ及びＣＤ−ＲＷからなる書き込み可能なディスクであるかを検出する。
【００３４】
ＣＰＵ１ｄは、検出したディスク種別がＣＤ−Ｒ又はＣＤ−ＲＷであるか否かを判別する（ステップＳ１３）。すなわち、ＣＰＵ１ｄは、検出結果に従って、ディスク５が書き込み可能なＣＤ−Ｒ等のディスクであるか否かを判別する。
【００３５】
ＣＰＵ１ｄは、ＣＤ−Ｒ等でない（書き込み不能なディスクである）と判別した場合、種別テーブル１２に「音楽ＣＤ」をセットする（ステップＳ１４）。すなわち、ＣＰＵ１ｄは、ディスク５が書き込み不能なディスクであることを示す「音楽ＣＤ」を種別テーブル１２のディスク種別にセットし、ＲＡＭ１ｂに記憶する。
【００３６】
一方、ＣＰＵ１ｄは、ＣＤ−Ｒ等である（書き込み可能なディスクである）と判別した場合、種別テーブル１２に「ＣＤ−Ｒ」をセットする（ステップＳ１５）。すなわち、ＣＰＵ１ｄは、ディスク５が書き込み可能なディスクであることを示す「ＣＤ−Ｒ」を種別テーブル１２のディスク種別にセットし、ＲＡＭ１ｂに記憶する。
【００３７】
ＣＰＵ１ｄは、ディスク５がＣＤ−ＤＡであるか否かを判別する（ステップＳ１６）。すなわち、ＣＰＵ１ｄは、リードイン領域のＴＯＣに含まれる情報に従って、ディスク５に記録された楽曲データがＣＤ−ＤＡ（音楽ＣＤ）であるか否かを判別する。
【００３８】
ＣＰＵ１ｄは、ＣＤ−ＤＡでないと判別した場合、種別テーブル１２に「ＣＤ−ＲＯＭ」をセットする（ステップＳ１７）。すなわち、ＣＰＵ１ｄは、ディスク５に記録された情報がＣＤ−ＤＡ以外のデータであることを示す「ＣＤ−ＲＯＭ」を種別テーブル１２のデータ種別にセットし、ＲＡＭ１ｂに記憶する。
【００３９】
一方、ＣＤ−ＤＡであると判別した場合、ＣＰＵ１ｄは、種別テーブル１２に「ＣＤ−ＤＡ」をセットする（ステップＳ１８）。すなわち、ＣＰＵ１ｄは、ディスク５に記録された情報がＣＤ−ＤＡであることを示す「ＣＤ−ＤＡ」を種別テーブル１２のデータ種別にセットし、ＲＡＭ１ｂに記憶する。
そして、ＣＰＵ１ｄは、初期処理を終了する。上述の初期処理により、ディスク５のディスク種別等がＲＡＭ１ｂに記憶される。
【００４０】
次に、図４に示すディスク情報登録処理について説明する。図４に示すディスク情報登録処理は、上述の初期処理の終了後に、開始される。なお、ディスク情報登録処理は、ＲＡＭ１ｂに記憶された種別テーブル１２のデータ種別が「ＣＤ−ＤＡ」である場合に実行される。
【００４１】
まず、ＣＰＵ１ｄは、ＲＡＭ１ｂに記憶された種別テーブル１２のディスク種別が「ＣＤ−Ｒ」であるか否かを判別する（ステップＳ２１）。すなわち、ＣＰＵ１ｂは、再生対象のディスク５が書き込み可能なディスクであるか否かを判別する。
【００４２】
ＣＰＵ１ｄは、ディスク種別が「ＣＤ−Ｒ」でないと判別した場合、ディスク５からＴＯＣ情報を読み出す（ステップＳ２２）。すなわち、ＣＰＵ１ｄは、ディスク５を特定するためのトータルトラック数及びトータル時間（分：秒：ブロック）等からなるＴＯＣ情報を読み出す。
【００４３】
一方、ディスク種別が「ＣＤ−Ｒ」であると判別した場合、ＣＰＵ１ｄは、予め定められた固定情報をＴＯＣ情報として取得する（ステップＳ２３）。すなわち、ＣＰＵ１ｄは、書き込み可能なディスクを特定するための固定情報をＴＯＣ情報として取得する。
なお、実際にディスク５に記録された楽曲データ等を読み出す際には、実際にディスク５に記録されたＴＯＣ情報が使用される。
【００４４】
ＣＰＵ１ｄは、ディスク５のＴＯＣ情報がディスク情報テーブル１１に登録されているか否かを判別する（ステップＳ２４）。すなわち、ＣＰＵ１ｄは、ディスク５に関するディスク情報がＴＯＣ情報と共に、ディスク情報テーブル１１に記憶されているか否かを判別する。
【００４５】
ＣＰＵ１ｄは、ＴＯＣ情報が登録済みでないと判別すると、ディスク情報を新規に入力する（ステップＳ２５）。すなわち、ＣＰＵ１ｄは、キー入力部２を介して利用者により入力されるディスクタイトル及びトラックタイトルからなるディスク情報を入力する。そして、ディスク情報の入力が完了するまで、ディスク情報の入力を繰り返す。
【００４６】
ＣＰＵ１ｄは、ディスク情報の入力が完了したと判別すると（ステップＳ２６）、取得したＴＯＣ情報及び入力されたディスク情報を記憶する（ステップＳ２７）。すなわち、ＴＯＣ情報及びディスク情報をディスク情報テーブル１１の空き領域にセットし、ＲＡＭ１ｂに記憶する。
【００４７】
なお、その際、ディスク情報テーブル１１に空き領域が存在しない場合に、利用者の指定する任意の領域（ディスク情報等が記憶済みの領域）にＴＯＣ情報及びディスク情報を上書きしてもよい。
【００４８】
一方、ステップＳ２４にて、ＴＯＣ情報が登録済みであると判別すると、ＣＰＵ１ｄは、ディスク情報の変更を入力する（ステップＳ２８）。すなわち、ＣＰＵ１ｄは、登録済みのＴＯＣ情報に対応するディスクタイトル及びトラックタイトルからなるディスク情報の変更を入力する。そして、ディスク情報の入力が完了するまで、ディスク情報の入力を繰り返す。
【００４９】
ＣＰＵ１ｄは、ディスク情報の入力が完了したと判別すると（ステップＳ２９）、入力されたディスク情報を上書きする（ステップＳ３０）。すなわち、変更されたディスク情報をディスク情報テーブル１１の該当領域に上書きし、ＲＡＭ１ｂに記憶する。
【００５０】
ＣＰＵ１ｄは、ステップＳ２５又は、ステップＳ２８にて入力されたディスク情報を表示する（ステップＳ３１）。すなわち、ＣＰＵ１ｄは、今回登録したディスク情報を図示せぬ所定の表示部に表示する。
【００５１】
このように、ディスク５がＣＤ−Ｒ等の書き込み可能なディスクである場合、ディスク情報テーブル１１内にディスク情報と共に記憶されるＴＯＣ情報が予め定められた固定情報（固定の値）となるため、同じＴＯＣ情報に対応するディスク情報が登録済みであれば、同じ領域に上書きされる。すなわち、ＣＤ−Ｒ等のディスク５の内容が書き換えられ、ＴＯＣ情報が変化した場合でも、ディスク５を書き換え前のディスクと同一のものとして扱うことにより、使用されない無駄なディスク情報を再利用する。
【００５２】
このため、無駄なディスク情報の登録を防ぐことができ、所定の記録容量内で、ディスク情報を適切に登録することができる。この結果、再生対象となるＣＤ等のディスク情報を無駄なく管理することができる。
【００５３】
上記の実施の形態では、ディスク５がＣＤ−Ｒ等である場合に、予め定められた固定情報をＴＯＣ情報として扱うことにより、書き込み可能なディスクのディスク情報を共通の領域に記憶したが、書き込み可能なディスク用の領域を別に設け、ディスク情報を記憶してもよい。
【００５４】
例えば、上述のディスク情報テーブル１１は、書き込み不能な音楽ＣＤ用のディスク情報を記憶するために用いる。そして、新たに、１枚分のディスク情報を格納する専用領域を設け、その専用領域に書き込み可能なＣＤ−Ｒ等のディスク情報を記録する。
この場合も、ＣＤ−Ｒ等のディスク情報が登録済みであれば、同じ専用領域に上書きされる。すなわち、ＣＤ−Ｒ等のディスク５の内容が書き換えられ、ＴＯＣ情報が変化した場合でも、ディスク５を書き換え前のディスクと同一のものとして扱うことにより、使用されない無駄なディスク情報を再利用する。
【００５５】
このため、無駄なディスク情報の登録を防ぐことができ、所定の記録容量内で、ディスク情報を適切に登録することができる。この結果、再生対象となるＣＤ等のディスク情報を無駄なく管理することができる。
【００５７】
【発明の効果】
以上説明したように、本発明によれば、再生対象となるＣＤ等のディスク情報を無駄なく管理することができる。
【図面の簡単な説明】
【図１】本発明の実施の形態に係るディスク再生装置の構成の一例を示すブロック図である。
【図２】（ａ）がディスク情報テーブルの一例を示す模式図であり、（ｂ）が種別テーブルの一例を示す模式図である。
【図３】本発明の実施の形態に係る初期処理を説明するためのフローチャートである。
【図４】本発明の実施の形態に係るディスク情報登録処理を説明するためのフローチャートである。
【符号の説明】
１    マイクロコンピュータ
１ａ  入力ポート
１ｂ  ＲＡＭ
１ｃ  ＲＯＭ
１ｄ  ＣＰＵ
１ｅ  出力ポート
２    キー入力部
３    ディスク位置検出部
４    光学ユニット
５    ディスク
【図１】
0003571606.tif 000002
【図２】
0003571606.tif 000003
【図３】
0003571606.tif 000004
【図４】
0003571606.tif 000005